(57)【要約】【課題】空気の溶解濃度を高め、多くの微細気泡を含む湯水を生成し噴射可能なシャワーヘッドを提供する。【解決手段】  湯水を撹拌して空気の溶解濃度を高めるように構成された気液溶解部１０と、気液溶解部によって撹拌された湯水を旋回流にして微細気泡を生成するように構成された微細気泡生成部２０とをシャワーヘッド本体２に内蔵したシャワーヘッド１による。このシャワーヘッドは、気液溶解部が内蔵されているので、別個に溶解タンクを設置せずとも、湯水に対する空気の溶解濃度を高めることができ、このような湯水で微細気泡を生成することにより、大量に微細気泡を含む湯水を噴射することができる。【選択図】図２
2020151390.tif 000002
【特許請求の範囲】
【請求項１】
湯水を撹拌して空気の溶解濃度を高めるように構成された気液溶解部と、気液溶解部によって撹拌された湯水を旋回流にして微細気泡を生成するように構成された微細気泡生成部とをシャワーヘッド本体に内蔵したことを特徴とするシャワーヘッド。
【請求項２】
シャワーヘッド本体は、一端に混合栓から供給される湯水の導入孔を備える把持部と、この把持部に連結され、湯水を噴射する散水板を備えるヘッド部とから成り、
気液溶解部は、把持部の内部に形成された溶解室と、溶解室の中心部に配置され長手方向に延びる撹拌部材とから成り、
気液溶解部の撹拌部材は、先端部に底部および内部に導入流路が形成された有底筒状を成し、先端部を導入孔に対して所定の間隔をおいて対向させるように配置することにより、導入孔から供給された湯水を撹拌部材の外周面と溶解室の内周面とによって形成される空間へ流入させてこの空間で撹拌するように構成されるとともに、外周面には溶解室と導入流路とを連通させる貫通孔が穿設され、導入流路は微細気泡生成部と連通させてあること、
を特徴とする請求項１に記載のシャワーヘッド。
【請求項３】
気液溶解の撹拌部材は、先端部の外形が傘状に成形されていることを特徴とする請求項１又は２に記載のシャワーヘッド。
【発明の詳細な説明】
【技術分野】
【０００１】
本発明は、微細気泡を含んだ湯水を噴射するシャワーヘッドに関する。
【背景技術】
【０００２】
従来から、微細気泡を含んだ湯水を噴射する微細気泡発生機能付きシャワーヘッドが開示されている（ 例えば、特許文献１参照）。特許文献１のシャワーヘッドは、微細気泡生成機構を内蔵することで、噴射孔から微細気泡を含む湯水を皮膚に直接噴射することができ、皮膚の汚れを効果的に除去するものである。
【先行技術文献】
【特許文献】
【０００３】
【特許文献１】特開２０１６−２２０９０９号公報
【発明の概要】
【発明が解決しようとする課題】
【０００４】
しかしながら、上記シャワーヘッドでは、空気の溶解濃度が低いため、微細気泡を多く生成することができず、所望の効果を得られない問題を有していた。
【０００５】
本発明は、上記問題に鑑みて創生されたものであり、空気の溶解濃度を高め、多くの微細気泡を含む湯水を生成し噴射可能なシャワーヘッドを提供することを目的とする。
【課題を解決するための手段】
【０００６】
上記課題は、湯水を撹拌して空気の溶解濃度を高めるように構成された気液溶解部と、気液溶解部によって撹拌された湯水を旋回流にして微細気泡を生成するように構成された微細気泡生成部とをシャワーヘッド本体に内蔵したシャワーヘッドによって解決できる。
【０００７】
なお、シャワーヘッド本体は、一端に混合栓から供給される湯水の導入孔を備える把持部と、この把持部に連結され、湯水を噴射する散水板を備える先端部とから成り、気液溶解部は、把持部の内部に形成された溶解室と、溶解室の中心部に配置され長手方向に延びる撹拌部材とから成り、気液溶解部の撹拌部材は、先端部に底部および内部に導入流路が形成された有底筒状を成し、先端部を導入孔に対して所定の間隔をおいて対向させるように配置することにより、導入孔から供給された湯水を撹拌部材の外周面と溶解室の内周面とによって形成される空間へ流入させてこの空間で撹拌するように構成されるとともに、外周面には溶解室と導入流路とを連通させる貫通孔が穿設され、導入流路は微細気泡生成部と連通させてあることが好ましい。
【０００８】
なお、気液溶解の撹拌部材は、先端部の外形が傘状に成形されていることが好ましい。
【発明の効果】
【０００９】
本発明のシャワーヘッドによれば、シャワーヘッド本体に、気液溶解部と微細気泡生成部との双方が内蔵されているので、シャワーヘッドとは別に溶解タンクを設置せずとも、湯水に対する空気の溶解濃度が高められ、このようにしてから微細気泡を生成することにより、多くの微細気泡を含む湯水を噴射可能なシャワーヘッドを提供することができる。
【図面の簡単な説明】
【００１０】
【図１】本発明であるシャワーヘッドの外観図である。
【図２】本発明であるシャワーヘッドの縦断面図である。
【図３】本発明であるシャワーヘッドの一部拡大縦断面図である。
【図４】本発明であるシャワーヘッドの微細気泡生成部を上流側から見た斜視図である。
【図５】本発明であるシャワーヘッドの微細気泡生成部を下流側から見た斜視図である。
【発明を実施するための形態】
【００１１】
以下、図面に基づいて本発明の実施形態を説明する。図１において、１はシャワーヘッドであり、混合栓（図示せず）から供給される湯水を導入する把持部３と、把持部３の先端に設けられ、把持部３に導入された湯水を噴射するヘッド部４とからシャワーヘッド本体２が構成されている。把持部３は、端部に混合栓から延びるホース（図示せず）が接続され、この端部には湯水の導入孔３ａが設けてある。ヘッド部４は、前面に、複数の散水孔５ｂが穿設された散水板５ａを備えており、散水孔５ｂから湯水を噴射するように構成されている。なお、図１乃至図５において、二点鎖線の矢印は、湯水の流れる方向を示すものである。
【００１２】
図２に示すように、シャワーヘッド本体２には、湯水を撹拌して空気の溶解濃度を高めるように構成された気液溶解部１０と、気液溶解部１０によって撹拌された湯水を旋回流にして微細気泡を生成するように構成された微細気泡生成部２０とが内蔵されている。
【００１３】
気液溶解部１０は、把持部３に内蔵されており、把持部３の内部に形成された溶解室１１と、溶解室１１内の中心部に配置され、長手方向に延びる撹拌部材１２とから構成されている。
【００１４】
気液溶解部１０の撹拌部材１２は、先端部１２ａに底部１２ｂを有する有底筒状を成しており、内部には導入流路１２ｃが形成されている。
【００１５】
撹拌部材１２は、先端部を１２ａを導入孔３ａに対して所定の間隔をおいて対向させるように配置するとともに、撹拌部材１２の外周面と溶解室１１の内周面とによって撹拌室１３が形成される。このため、導入孔３ａから供給された湯水は、先端部１２ａの外側に向かって流れ、撹拌室１３へ流入する。撹拌室１３へ流入した湯水は、二点鎖線で示す矢印のように撹拌され、空気の溶解濃度が高められた気液混合体となる。
【００１６】
なお、撹拌部材１２の先端部１２ａは、傘状に成形されていることが好ましい。これは、撹拌室１３への入口を狭くするとともに、撹拌室１３の容積を広く設定するためのものであり、このようにすることで、撹拌室１３へ流入する湯水の流速を高め、撹拌効率を高める効果がある。
【００１７】
また、撹拌部材１２の外周面には、２箇所に貫通孔１２ｄが穿設されており、撹拌室１３と導入流路１２ｃとを連通する。このため、撹拌室１３によって撹拌された湯水は、貫通孔１２ｄを通過して導入流路１２ｃへ流入する。
【００１８】
微細気泡生成部２０は、シャワーヘッド本体２のヘッド部４に内蔵されており、ヘッド部４の内部に成形され、撹拌部材１２の導入流路１２ｃと連通する旋回室２１と、この旋回室２１の中心部に配置され、旋回流を発生させる旋回流生成部２２とから構成されている。
【００１９】
図３に示すように、旋回流生成部２２は、略三角錐を成しており、その外形に沿うように旋回室２１の内部形状も成形されている。旋回流生成部２２は、外周面を上流側に向けて配置されており、その外周面には、複数の上流側旋回翼２２ａが一体成形されている。
【００２０】
また、図４に示すように、旋回流生成部２２は、底面に一体成形された複数の下流側旋回翼２２ｂを有しており、これら旋回翼２２ａ，２２ｂによって、湯水は、旋回室２１内で二点鎖線の矢印で示すような旋回流になる。
【００２１】
図５に示すように、旋回室２１の出口には、導出流路２３が連通されており、この導出流路２３からは、複数のスリット２４が分岐している。これらスリット２４は縮径されているため、スリット２４を通過する際に湯水（気液混合体）の流速が増大し、せん断力によって湯水に微細気泡が生成される。また、スリット２４の出口にはパンチングメタル２５が包囲してあり、スリット２４を通過した湯水に含まれる微細気泡をさらに細分化する。そして、図１に示すように、散水板５の散水孔５ａから外部へ微細気泡を含む湯水が噴射される。
【００２２】
なお、導出流路２３には、循環パイプ２６を内蔵させてもよい。この循環パイプ２６は、上下に貫通穴２６ａ，２６ｂを備えており、下流側貫通穴２６ａから導出流路２３内の湯水を内部へ取り込み、上流側貫通穴２６ｂから放出するものである。このように、循環パイプは導出流路２３内で湯水を循環させることにより、気体の溶解濃度を高めるように構成されている。
【００２３】
上記シャワーヘッド１によれば、気液溶解部１０が内蔵されているので、シャワーヘッドとは別に溶解タンクを設置せずとも、湯水に対する空気の溶解濃度が高められる。そして、空気の溶解濃度が高められた湯水で微細気泡を生成することにより、多くの微細気泡を生成することが可能となる。
【００２４】
また、気液溶解部１０は、撹拌部材１２の周囲で湯水を撹拌するように構成されており、つまり把持部３の内部において外側で湯水を撹拌するように構成されているため、シャワーヘッド１を傾けた際に撹拌室１３に湯水が満水でない状態でも、撹拌室１３には湯水が貯水されるので、撹拌効率が低下することはない。さらに、撹拌部材１２の貫通孔１２ｄは、散水板５に対して側面となる位置に設けられている。このため、散水板５を下に向けるようにシャワーヘッド１を傾けた際に撹拌室１３の内部に湯水が満水でない状態でも、撹拌室１３から導入流路１２ｃへ湯水を供給できるので、噴射が止むようなことはない。
【００２５】
なお、本発明の各部の具体的な構成は、上述した実施形態に限定されるものではなく、本発明の趣旨を逸脱しない範囲で種々変形が可能である。
【符号の説明】
【００２６】
１  シャワーヘッド
２  シャワーヘッド本体
３  把持部
３ａ  導入孔
４  ヘッド部
５  散水板
５ａ  散水孔
１０  気液溶解部
１１  溶解室
１２  撹拌部材
１２ａ  先端部
１２ｂ  底部
１２ｃ  導入流路
１２ｄ  貫通孔
１３  撹拌室
２０  微細気泡生成部
２１  旋回室
２２  旋回流生成部
２２ａ  上流側旋回翼
２２ｂ  下流側旋回翼
２３  導出流路
２４  スリット
２５  パンチングメタル
２６  循環パイプ
２６ａ  下流側貫通穴
２６ｂ  上流側貫通穴
【図１】
2020151390.tif 000003
【図２】
2020151390.tif 000004
【図３】
2020151390.tif 000005
【図４】
2020151390.tif 000006
【図５】
2020151390.tif 000007